(57)【要約】【課題】光ディスク録画装置において、フォーマット処理の際のユーザによる手間を軽減する。【解決手段】ＤＶＤレコーダは、予約録画開始ボタンが操作されると（Ｓ１２）、ＤＶＤがフォーマット済みかを判定する（Ｓ１３）。この判定の結果、フォーマット済みでないと判定された場合（Ｓ１４でＮＯ）、ＤＶＤの種類がＤＶＤ−Ｒ又はＤＶＤ−ＲＷのいずれであるか否かを判定する（Ｓ１５）。この判定の結果、いずれかである場合（Ｓ１６でＹＥＳ）、ＤＶＤレコーダは、録画を行うテレビ番組のＥＰＧ情報からＣＰＲＭの有無のコピー制限情報を取得する（Ｓ１７）。そして、ＤＶＤレコーダは、テレビ番組にコピー制限が有る場合（Ｓ１９でＹＥＳ）、ＶＲフォーマットでＤＶＤをフォーマットし（Ｓ２０）、コピー制限がない場合（Ｓ１９でＮＯ）、ビデオフォーマットでＤＶＤをフォーマット（Ｓ２１）した後、予約録画処理モードに移行する（Ｓ２２）。【選択図】図３
2010267344.tif 000002
【特許請求の範囲】
【請求項１】
装置本体に装着された光ディスクがフォーマット済か否かを判定するフォーマット済判定手段と、
前記光ディスクの種類が、ＤＶＤ−Ｒ又ＤＶＤ−ＲＷであるか否かを判別するディスク種類判別手段と、
前記光ディスクにテレビ番組の録画を行うための録画処理や、装置各部の制御処理を行う制御手段と、
前記光ディスクのフォーマット処理を行うフォーマット手段とを備えるＤＶＤ録画装置において、
コピー制限が有るテレビ番組を録画可能な光ディスクのフォーマットと、コピー制限がないテレビ番組を録画するときの光ディスクのフォーマットとを記憶するフォーマット記憶手段と、
放送局から配信されるテレビ番組のコピー制限の有無を示す情報であるコピー制限情報を取得するコピー制限情報取得手段と、
前記コピー制限情報取得手段により取得したコピー制限情報に基づき、前記テレビ番組のコピー制限の有無を判定するコピー制限判定手段とをさらに備え、
前記制御手段は、
テレビ番組の録画を行うときに、前記フォーマット済判定手段により前記光ディスクがフォーマット済でないと判定され、かつ、前記ディスク判別手段により前記光ディスクの種類がＤＶＤ−Ｒ又はＤＶＤ−ＲＷのいずれかであると判定されたときに、前記コピー制限判定手段により前記テレビ番組のコピー制限の有無を判定し、
上記判定の結果、前記テレビ番組にコピー制限が有る場合、前記フォーマット記憶手段に記憶された、コピー制限が有るテレビ番組を録画可能なフォーマットで、前記フォーマット手段を用いて、前記光ディスクをフォーマットし、
上記判定の結果、前記テレビ番組にコピー制限がない場合、前記フォーマット記憶手段に記憶された、コピー制限がないテレビ番組を録画するときのフォーマットで、前記フォーマット手段を用いて、前記光ディスクをフォーマットすることを特徴とする光ディスク録画装置。
【請求項２】
前記コピー制限は、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）方式のコピー制限であり、
前記コピー制限が有るテレビ番組を録画可能なフォーマットは、ＤＶＤ−ＶＲフォーマットであり、
前記コピー制限がないテレビ番組を録画するときのフォーマットは、ＤＶＤ−Ｖｉｄｅｏフォーマットであることを特徴とする請求項１に記載の光ディスク録画装置。
【発明の詳細な説明】
【技術分野】
【０００１】
本発明は、光ディスクのフォーマット処理が可能な光ディスク録画装置に関する。
【背景技術】
【０００２】
近年、著作権保護の観点から、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）のコピー制御が課されたテレビ番組が普及している。ところで、ＤＶＤ（Ｄｉｇｉｔａｌ  Ｖｅｒｓａｔｉｌｅ  Ｄｉｓｃ）のフォーマットの種類には、ＣＰＲＭに非対応のビデオフォーマットや、ＣＰＲＭに対応済のＶＲ（Ｖｉｄｅｏ  Ｒｅｃｏｒｄｉｎｇ）フォーマット等があり、ＣＰＲＭに対応したテレビ番組をＤＶＤに録画する場合、そのＤＶＤはＶＲフォーマットでなければならない。しかしながら、ＶＲフォーマットよりもビデオフォーマットの方が、一般的に再生可能なＡＶ機器が普及しているため、なるべくビデオフォーマットのＤＶＤにテレビ番組を録画したいという要望がある。
【０００３】
ところで、特許文献１には、ＤＶＤ−ＲやＤＶＤ−ＲＷを、ＶＲフォーマットにフォーマット処理可能なＤＶＤレコーダが開示されている。しかしながら、この種のＤＶＤレコーダでは、ビデオフォーマットでフォーマット処理を行う場合、ユーザが手動でフォーマットを指定する必要があるため、ユーザにとって手間がかかるという問題がある。
【０００４】
また、特許文献２には、複数種類の光ディスクの種類を判別し、その種類に応じて自動的にフォーマットを行うＤＶＤレコーダが開示されている。この種のＤＶＤレコーダでは、例えば、ＤＶＤ−Ｒと判別した場合に、自動的にビデオフォーマットでフォーマット処理を行い、ＤＶＤ−ＲＷと判別した場合に、自動的にＶＲフォーマットでフォーマット処理を行う。しかしながら、この種のＤＶＤレコーダでは、コピー制限のないＴＶ番組を録画する場合であってもＤＶＤディスクがＶＲフォーマットにフォーマットされてしまうので、コピー制限のないＴＶ番組を録画するときにＤＶＤディスクをビデオフォーマットでフォーマットするには、ユーザが手動でフォーマットを指定する必要があるため、上記問題を解決できない。
【先行技術文献】
【特許文献】
【０００５】
【特許文献１】特開２００５−５０４９０号公報
【特許文献２】特開２００３−７８８７４号公報
【発明の概要】
【発明が解決しようとする課題】
【０００６】
本発明は、上述した問題点を解決するためになされたものであり、フォーマット処理の際のユーザによる手間を軽減させることが可能な光ディスク録画装置を提供することを目的とする。
【課題を解決するための手段】
【０００７】
上記目的を達成するために請求項１の発明は、装置本体に装着された光ディスクがフォーマット済か否かを判定するフォーマット済判定手段と、前記光ディスクの種類が、ＤＶＤ−Ｒ又ＤＶＤ−ＲＷであるか否かを判別するディスク種類判別手段と、前記光ディスクにテレビ番組の録画を行うための録画処理や、装置各部の制御処理を行う制御手段と、前記光ディスクのフォーマット処理を行うフォーマット手段とを備えるＤＶＤ録画装置において、コピー制限が有るテレビ番組を録画可能な光ディスクのフォーマットと、コピー制限がないテレビ番組を録画するときの光ディスクのフォーマットとを記憶するフォーマット記憶手段と、放送局から配信されるテレビ番組のコピー制限の有無を示す情報であるコピー制限情報を取得するコピー制限情報取得手段と、前記コピー制限情報取得手段により取得したコピー制限情報に基づき、前記テレビ番組のコピー制限の有無を判定するコピー制限判定手段とをさらに備え、前記制御手段は、テレビ番組の録画を行うときに、前記フォーマット済判定手段により前記光ディスクがフォーマット済でないと判定され、かつ、前記ディスク判別手段により前記光ディスクの種類がＤＶＤ−Ｒ又はＤＶＤ−ＲＷのいずれかであると判定されたときに、前記コピー制限判定手段により前記テレビ番組のコピー制限の有無を判定し、上記判定の結果、前記テレビ番組にコピー制限が有る場合、前記フォーマット記憶手段に記憶された、コピー制限が有るテレビ番組を録画可能なフォーマットで、前記フォーマット手段を用いて、前記光ディスクをフォーマットし、上記判定の結果、前記テレビ番組にコピー制限がない場合、前記フォーマット記憶手段に記憶された、コピー制限がないテレビ番組を録画するときのフォーマットで、前記フォーマット手段を用いて、前記光ディスクをフォーマットするものである。
【０００８】
請求項２に記載の発明は、請求項１に記載の光ディスク録画装置において、前記コピー制限は、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）方式のコピー制限であり、前記コピー制限が有るテレビ番組を録画可能なフォーマットは、ＤＶＤ−ＶＲフォーマットであり、前記コピー制限がないテレビ番組を録画するときのフォーマットは、ＤＶＤ−Ｖｉｄｅｏフォーマットであるものである。
【発明の効果】
【０００９】
本発明によれば、テレビ番組の録画を行うときに、光ディスクがフォーマット済でなく、かつ、光ディスクの種類がＤＶＤ−Ｒ又はＤＶＤ−ＲＷのいずれかであると判定されたときに、テレビ番組のコピー制限の有無を判定する。そして、この結果、テレビ番組にコピー制限が有る場合、コピー制限が有るテレビ番組を録画可能なフォーマットで光ディスクをフォーマットし、コピー制限がない場合、コピー制限がないテレビ番組を録画するときのフォーマットで光ディスクをフォーマットする。そのため、コピー制限が有る番組を録画するときにのみ、コピー制限が有るテレビ番組を録画可能なフォーマットで自動的に光ディスクをフォーマットするので、ユーザがフォーマットを指定する必要がなく、ユーザの手間を軽減することができる。
【図面の簡単な説明】
【００１０】
【図１】本発明の一実施形態に係るＤＶＤレコーダの概略構成図。
【図２】上記ＤＶＤレコーダのフォーマット設定モードの設定処理の手順を示すフローチャート。
【図３】上記ＤＶＤレコーダの自動モードにおける録画処理の手順の一例を示すフローチャート。
【図４】上記ＤＶＤレコーダの自動モードにおける録画処理の手順の別の一例を示すフローチャート。
【発明を実施するための形態】
【００１１】
以下、本発明の一実施形態に係るＤＶＤレコーダ（光ディスク録画装置）について、図１を参照して説明する。図１は、ＤＶＤレコーダ１の内部構成を示す。ＤＶＤレコーダ１は、受信したテレビ番組をＤＶＤ−ＲやＤＶＤ−ＲＷ等の光ディスクに録画可能な機器である。
【００１２】
ＤＶＤレコーダ１は、放送局から放送されるテレビ番組を受信するデジタルチューナ１１と、ユーザによって操作される操作ボタン等を有する操作部１２と、筐体外部に露出するように設けられたＨＤＭＩ端子部等の端子部１３と、リモコン装置４から送信されたリモコン信号を受信するリモコン信号受信部１４とを備える。また、ＤＶＤレコーダ１は、各種情報が記憶されるメモリ１５と、ＤＶＤディスクｄが装着される光ディスクドライブ１６と、ＤＶＤレコーダ２の装置各部の制御を行う制御用マイコン（制御手段）１７とをさらに備える。
【００１３】
リモコン装置４は、ユーザによって操作される、デジタルチューナ１１によって受信中のテレビ番組の録画を指示するための録画開始ボタン（図示せず）や、予約録画を指示するための予約録画開始ボタン（図示せず）を含む複数の操作ボタンを有し、ＤＶＤレコーダ１に対して各種動作指示を行う。
【００１４】
デジタルチューナ１１は、テレビ番組に加えて、放送局から配信されるＥＰＧ（Ｅｌｅｃｔｒｏｎｉｃ  Ｐｒｏｇｒａｍ  Ｇｕｉｄｅ）情報や、テレビ番組に課されたＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）のコピー制限情報を受信する。
【００１５】
端子部１３には、テレビジョン受像機（以下、ＴＶ受像機という）２と接続された伝送ケーブル３の一端が接続される。メモリ１５は、制御用マイコン１７を動作させるためのプログラム１５ａと、放送局から受信したＥＰＧ情報１５ｂと、フォーマット種類情報（フォーマット記憶手段）１５ｃと、フォーマットモード設定情報１５ｄと、予約録画を行うための各種情報を記憶する予約録画番組情報１５ｅとが記憶される。
【００１６】
フォーマット種類情報１５ｃは、ＤＶＤディスクｄのフォーマット形式を記憶する。具体的には、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）方式のコピー制限が有るテレビ番組を録画可能なフォーマットとしてＤＶＤ−ＶＲフォーマット（以下、ＶＲフォーマットという）を記憶し、ＣＲＰＭがないテレビ番組を録画するときのフォーマットとしてＤＶＤ−Ｖｉｄｅｏフォーマット（以下、ビデオフォーマットという）を記憶する。
【００１７】
フォーマットモード設定情報１５ｄは、ＤＶＤディスクｄに対するフォーマット処理の動作モード（以下、フォーマット動作モード）を記憶する。フォーマット動作モードには、「ＶＲフォーマットモード」と、「ビデオフォーマットモード」と、「自動モード」とがあり、ユーザによって任意の動作モードが設定される。
【００１８】
「ＶＲフォーマットモード」は、ＤＶＤディスクｄの種類がＤＶＤ−Ｒ又はＤＶＤ−ＲＷであれば、録画を行うテレビ番組のコピー制限の有無に係わらず、ＶＲフォーマットでＤＶＤディスクｄのフォーマット処理を行うモードである。「ビデオフォーマットモード」は、ＤＶＤディスクｄの種類がＤＶＤ−Ｒ又はＤＶＤ−ＲＷであれば、コピー制限の有無に係わらず、ビデオフォーマットでＤＶＤディスクｄのフォーマット処理を行うモードである。「自動モード」は、制御用マイコン１７が各種条件を判断して、ＶＲフォーマット又はビデオフォーマットのいずれかでＤＶＤディスクｄのフォーマット処理を自動的に行うモードである。
【００１９】
予約録画番組情報１５ｅには、予約録画を行うテレビ番組のチャンネルや、録画開始時間等が記憶される。
【００２０】
光ディスクドライブ１６は、レーザ光を照射するレーザダイオード（図示せず）を有し、内部に装着されたＤＶＤディスクｄにレーザ光を照射することにより、ＤＶＤディスクｄのフォーマット処理や、ＤＶＤディスクｄからのＴＶ番組の読み出しや、ＤＶＤディスクｄに対するＴＶ番組の書込みを行う。
【００２１】
制御用マイコン１７は、再生処理部１７ａと、録画処理部１７ｂと、ＥＰＧ情報取得部１７ｃと、ディスク種類判別部（ディスク種類判別手段）１７ｄと、フォーマット済判定部（フォーマット済判定手段）１７ｅと、フォーマット処理部（フォーマット手段）１７ｆと、コピー制限情報取得部（コピー制限情報取得手段）１７ｇと、コピー制限判定部（コピー制限判定手段）１７ｈとを有する。
【００２２】
再生処理部１７ａは、デジタルチューナ１１によって受信されたテレビ番組や、光ディスクドライブ１６によってＤＶＤディスクｄから読み出されたテレビ番組の再生を行い、再生されたテレビ番組の映像信号及び音声信号を伝送ケーブル３を介してＴＶ受像機２に出力する処理を行う。録画処理部１７ｂは、ユーザによって予め設定された予約録画番組情報１５ｅやユーザによる録画指示に基づいて、デジタルチューナ１１から受信されたテレビ番組をＤＶＤディスクｄに録画する録画処理を行う。ＥＰＧ情報取得部１７ｃは、デジタルチューナ１１によって受信されたＥＰＧ情報を取得する。
【００２３】
ディスク種類判別部１７ｄは、光ディスクドライブ１６の内部に装着されたＤＶＤディスクｄの種類が、ＤＶＤ−Ｒ又ＤＶＤ−ＲＷであるか否かを判別する。例えば、光ディスクドライブ１６のレーザダイオード（図示せず）によってＤＶＤディスクｄに照射されるレーザ光の反射率に基づいて、ＤＶＤディスクｄの種類を判別する。
【００２４】
フォーマット済判定部１７ｅは、光ディスクドライブ１６に装着されたＤＶＤディスクｄがフォーマット済か否かを判定する。フォーマット処理部１７ｆは、フォーマットモード設定情報１５ｄに設定されたフォーマット動作モードに基づいて、光ディスクドライブ１６に動作指示することにより、ＤＶＤディスクｄのフォーマット処理を行う。
【００２５】
コピー制限情報取得部１７ｇは、放送局から配信されるテレビ番組のＣＲＰＭや、ＥＰＧ情報に含まれるＣＰＲＭ等のコピー制限情報の取得を行う。コピー制限判定部１７ｈは、コピー制限情報取得部１７ｇにより取得したコピー制限情報に基づき、テレビ番組のコピー制限の有無を判定する。
【００２６】
次に、フォーマットモード設定情報１５ｄの設定処理について、図２に示すフローチャートを参照して説明する。ユーザがリモコン装置４を操作することにより、フォーマット動作モードの設定画面を表示する（Ｓ１）。そして、ユーザが「自動モード」「ＶＲフォーマットモード」「ビデオフォーマットモード」の中から任意のモードを設定する（Ｓ２）。
【００２７】
ユーザにより「自動モード」が設定された場合（Ｓ３でＹＥＳ）、制御用マイコン１７は、フォーマットモード設定情報１５ｄとして「自動モード」を設定する（Ｓ４）。また、ユーザにより「ＶＲフォーマットモード」が設定された場合（Ｓ３でＮＯ、Ｓ５でＹＥＳ）、制御用マイコン１７は、フォーマットモード設定情報１５ｄとして、「ＶＲフォーマットモード」を設定する（Ｓ６）。また、ユーザにより「ビデオフォーマット」が設定された場合（Ｓ３でＮＯ、Ｓ５でＮＯ）、制御用マイコン１７は、フォーマットモード設定情報１５ｄとして、「ビデオフォーマットモード」を設定する（Ｓ７）。
【００２８】
次に、フォーマット動作モードが自動モードの場合における録画処理の一例について、図３に示すフローチャートを参照して説明する。ここでは、テレビ番組の予約録画を行う場合についての録画処理について説明する。
【００２９】
まず、ユーザが予約録画番組情報１５ｅの各種情報の設定を行い（Ｓ１１）、光ディスクドライブ１６にＤＶＤディスクｄを装着して、リモコン装置４の予約録画開始ボタンを操作すると（Ｓ１２）、制御用マイコン１７は、フォーマット済判定部１７ｅを用いて、ＤＶＤディスクｄがフォーマット済みか否かを判定する（Ｓ１３）。この判定の結果、フォーマット済みであると判定された場合（Ｓ１４でＹＥＳ）、予約録画処理モードに移行する（タイマースタンバイ状態になる）（Ｓ２２）。
【００３０】
一方、上記Ｓ１３の判定の結果、フォーマット済みでないと判定された場合（Ｓ１４でＮＯ）、制御用マイコン１７は、ディスク種類判別部１７ｄを用いて、ＤＶＤディスクｄの種類がＤＶＤ−Ｒ又はＤＶＤ−ＲＷのいずれかであるか否かを判定し（Ｓ１５）、この判定の結果、ＤＶＤ−Ｒ、ＤＶＤ−ＲＷのいずれでもない場合（Ｓ１６でＮＯ）、予約録画処理モードに移行する（タイマースタンバイ状態になる）（Ｓ２２）。
【００３１】
一方、上記Ｓ１５の判定の結果、ＤＶＤディスクｄがＤＶＤ−Ｒ又はＤＶＤ−ＲＷのいずれかである場合（Ｓ１６でＹＥＳ）、制御用マイコン１７は、コピー制限情報取得部１７ｇを用いて、コピー制限情報を取得する（Ｓ１７）。具体的には例えば、予約録画を行うテレビ番組のＥＰＧ情報からＣＰＲＭの有無の情報（コピー制限情報）を取得する。
【００３２】
そして、制御用マイコン１７は、上記Ｓ１７により取得したコピー制限情報に基づいてコピー制限判定部１７ｈを用いて、コピー制限の有無を判定し（Ｓ１８）、コピー制限が有る場合（Ｓ１９でＹＥＳ）、フォーマット処理部１７ｆを用いて、ＶＲフォーマットでＤＶＤディスクｄのフォーマット処理を行う（Ｓ２０）。一方、コピー制限がない場合（Ｓ１９でＮＯ）、フォーマット処理部１７ｆを用いて、ビデオフォーマットでＤＶＤディスクｄのフォーマット処理を行う（Ｓ２１）。そして、制御用マイコン１７は、上記Ｓ２０、Ｓ２１のフォーマット処理を行った後、予約録画処理モードに移行する（タイマースタンバイ状態になる）（Ｓ２２）。
【００３３】
次に、フォーマット動作モードが自動モードの場合における録画処理の別の一例について、図４に示すフローチャートを参照して説明する。ここでは、視聴中のテレビ番組の録画を行う場合について説明する。
【００３４】
まず、ユーザがテレビ番組を視聴中に（Ｓ３１）、視聴中のテレビ番組を録画するために光ディスクドライブ１６にＤＶＤディスクｄを装着し、リモコン装置４の録画開始ボタンを操作すると（Ｓ３２）、制御用マイコン１７は、フォーマット済判定部１７ｅを用いて、ＤＶＤディスクｄがフォーマット済みであるか否かを判定する（Ｓ３３）。この判定の結果、フォーマット済みであると判定された場合（Ｓ３４でＹＥＳ）、録画処理部１７ｂを用いて、このＤＶＤディスクｄに視聴中のテレビ番組の録画を行う（Ｓ４２）。
【００３５】
一方、上記Ｓ３３の判定の結果、フォーマット済みでないと判定された場合（Ｓ３４でＮＯ）、制御用マイコン１７は、ディスク種類判別部１７ｄを用いて、ＤＶＤディスクｄの種類がＤＶＤ−Ｒ又はＤＶＤ−ＲＷのいずれかであるか否かを判定し（Ｓ３５）、この判定の結果、ＤＶＤ−Ｒ、ＤＶＤ−ＲＷのいずれでもない場合（Ｓ３６でＮＯ）、上記Ｓ４２の録画処理を行う。
【００３６】
一方、上記Ｓ３５の判定の結果、ＤＶＤ−Ｒ又はＤＶＤ−ＲＷのいずれかである場合（Ｓ３６でＹＥＳ）、制御用マイコン１７は、コピー制限情報取得部１７ｇを用いて、コピー制限情報を取得する（Ｓ３７）。具体的には例えば、テレビ番組と同時に配信されるＣＰＲＭ（コピー制御情報）の有無の情報を取得する。
【００３７】
そして、制御用マイコン１７は、上記Ｓ３７で取得したＣＲＰＭ（コピー制限情報）の有無の情報に基づいてコピー制限判定部１７ｈを用いて、コピー制限の有無を判定し（Ｓ３８）、コピー制限が有る場合（Ｓ３９でＹＥＳ）、フォーマット処理部１７ｆを用いて、ＶＲフォーマットでＤＶＤディスクｄのフォーマット処理を行う（Ｓ４０）。一方、コピー制限がない場合（Ｓ３９でＮＯ）、フォーマット処理部１７ｆを用いて、ビデオフォーマットでＤＶＤディスクｄのフォーマット処理を行う（Ｓ４１）。そして、制御用マイコン１７は、上記Ｓ４０、Ｓ４１によりフォーマット処理を行った後、ＤＶＤディスクｄに視聴中のテレビ番組の録画を行う（Ｓ４２）。
【００３８】
上述したように、本実施形態に係るＤＶＤレコーダ１によれば、テレビ番組の録画を行うときに、ＤＶＤディスクｄがフォーマット済でなく、かつ、ＤＶＤディスクｄの種類がＤＶＤ−Ｒ又はＤＶＤ−ＲＷのいずれかであると判定されたときに、テレビ番組のコピー制限（ＣＰＲＭ）の有無を判定する。そして、この結果、テレビ番組にコピー制限が有る場合、ＶＲフォーマットで光ディスクをフォーマットし、コピー制限がない場合、ビデオフォーマットで光ディスクをフォーマットする。そのため、ユーザは、リモコン装置４の予約録画開始ボタン、又は録画開始ボタンを１度押すだけで、コピー制限が有る番組を録画するときにはＶＲフォーマットで自動的に光ディスクをフォーマットした後に録画を行う。したがって、ユーザがフォーマットを指定する必要がなくなるので、ユーザによる手間を軽減することができ、ユーザにとって使い勝手が良くなる。
【００３９】
なお、本発明は、上記実施形態の構成に限られず、発明の趣旨を変更しない範囲で種々の変形が可能である。例えば、上記の実施形態において、上記自動モード処理では、コピー制御方式がＣＰＲＭである例を示したが、その他のコピー制御方式であり、このコピー制御方式を録画できないフォーマットと、録画できるフォーマットがある記録媒体に適用してもよい。
【符号の説明】
【００４０】
１  ＤＶＤレコーダ（光ディスク録画装置）
１７  制御部（制御手段）
１５ｃ  フォーマット種類情報（フォーマット記憶手段）
１７ｇ  コピー制限情報取得部（コピー制限情報取得手段）
１７ｅ  フォーマット済判定部（フォーマット済判定手段）
１７ｄ  ディスク種類判別部（ディスク種類判別手段）
１７ｆ  フォーマット処理部（フォーマット手段）
１７ｈ  コピー制限判定部（コピー制限判定手段）
【図１】
2010267344.tif 000003
【図２】
2010267344.tif 000004
【図３】
2010267344.tif 000005
【図４】
2010267344.tif 000006